(57)【特許請求の範囲】
【請求項１】
記憶部と、
座標領域を有するタッチパネルと、
複数のキーを備えたキー操作部と、
自己の装置の傾きを検出する検出部と、
キーロック設定処理とキーロック解除処理とを実行する制御部と
を具備し、
前記制御部は、
前記キーロック設定処理において、
利用者が前記タッチパネルにパスワードとして軌跡を手書き入力したときに、その軌跡と、その軌跡を表す座標領域とを含む登録パスワード座標データを生成し、
前記検出部により検出された傾きを表す登録時傾きデータを生成し、
前記登録パスワード座標データと前記登録時傾きデータとを別々に前記記憶部に登録すると共に、前記キー操作部の操作を無効にし、
前記キーロック解除処理において、
利用者が前記タッチパネルに前記パスワードとして軌跡を手書き入力したときに、その軌跡と、その軌跡を表す座標領域とを含む解除時パスワード座標データを生成し、
前記検出部により検出された傾きを表す解除時傾きデータを生成し、
前記登録時傾きデータが表す傾きに対して、前記解除時傾きデータが表す傾きの変化を表す傾き変化量を算出し、
前記傾き変化量に従って、前記解除時パスワード座標データの座標領域を前記登録パスワード座標データの座標領域に変換し、
前記登録パスワード座標データの軌跡と前記解除時パスワード座標データの軌跡とが一致した場合、前記キー操作部の操作を有効にする
携帯端末装置。
【請求項２】
前記制御部は、前記キーロック解除処理において、
前記登録パスワード座標データの軌跡と前記解除時パスワード座標データの軌跡とが一致しない場合、前記パスワードが一致していない旨を表すエラー情報を利用者に通知する
請求項１に記載の携帯端末装置。
【請求項３】
前記制御部は、
前記エラー情報を利用者に通知したときに、前記タッチパネルに前記パスワードを再度入力するか否かを選択させるための再入力問い合わせ処理を実行し、
前記再入力問い合わせ処理において、利用者が前記タッチパネルに前記パスワードとして軌跡を手書き入力した場合、前記キーロック解除処理を実行する
請求項２に記載の携帯端末装置。
【請求項４】
前記制御部は、
利用者が前記キー操作部の前記複数のキーのうちの特定キーを操作したときに前記キーロック設定処理を実行する
請求項１〜３のいずれかに記載の携帯端末装置。
【請求項５】
前記制御部は、
利用者による前記キー操作部の操作に応じて、利用者に対して前記キーロック設定処理を開始するか否かを選択させるための開始問い合わせ処理を実行し、
前記開始問い合わせ処理において、利用者が前記キー操作部を操作して前記キーロック設定処理の開始を選択した場合、前記キーロック設定処理を実行する
請求項１〜３のいずれかに記載の携帯端末装置。
【請求項６】
前記検出部は、加速度センサである
請求項１〜５のいずれかに記載の携帯端末装置。
【請求項７】
記憶部と、座標領域を有するタッチパネルと、複数のキーを備えたキー操作部と、自己の装置の傾きを検出する検出部とを備えた携帯端末装置がキーロック設定処理とキーロック解除処理とを実行する方法であって、
前記キーロック設定処理において、
利用者が前記タッチパネルにパスワードとして軌跡を手書き入力したときに、その軌跡と、その軌跡を表す座標領域とを含む登録パスワード座標データを生成するステップと、
前記検出部により検出された傾きを表す登録時傾きデータを生成するステップと、
前記登録パスワード座標データと前記登録時傾きデータとを別々に前記記憶部に登録すると共に、前記キー操作部の操作を無効にするステップと、
前記キーロック解除処理において、
利用者が前記タッチパネルに前記パスワードとして軌跡を手書き入力したときに、その軌跡と、その軌跡を表す座標領域とを含む解除時パスワード座標データを生成するステップと、
前記検出部により検出された傾きを表す解除時傾きデータを生成するステップと、
前記登録時傾きデータが表す傾きに対して、前記解除時傾きデータが表す傾きの変化を表す傾き変化量を算出するステップと、
前記傾き変化量に従って、前記解除時パスワード座標データの座標領域を前記登録パスワード座標データの座標領域に変換するステップと、
前記登録パスワード座標データの軌跡と前記解除時パスワード座標データの軌跡とが一致した場合、前記キー操作部の操作を有効にするステップと
を具備する携帯端末装置のキーロック設定・解除方法。
【請求項８】
前記キーロック解除処理において、
前記登録パスワード座標データの軌跡と前記解除時パスワード座標データの軌跡とが一致しない場合、前記パスワードが一致していない旨を表すエラー情報を利用者に通知するステップ
を更に具備する請求項７に記載の携帯端末装置のキーロック設定・解除方法。
【請求項９】
前記エラー情報を利用者に通知したときに、前記タッチパネルに前記パスワードを再度入力するか否かを選択させるための再入力問い合わせ処理を実行するステップと、
前記再入力問い合わせ処理において、利用者が前記タッチパネルに前記パスワードとして軌跡を手書き入力した場合、前記キーロック解除処理を実行するステップと
を更に具備する請求項８に記載の携帯端末装置のキーロック設定・解除方法。
【請求項１０】
請求項７〜９のいずれかに記載の携帯端末装置のキーロック設定・解除方法の各ステップをコンピュータに実行させるコンピュータプログラム。
【発明の詳細な説明】
【技術分野】
【０００１】
本発明は、キー操作を無効・解除する携帯端末装置に関する。
【背景技術】
【０００２】
近年、キー操作を無効・解除する携帯端末装置が開発されている。この携帯端末装置は、例えば、ユーザが携帯端末装置を鞄に入れているような状態で、使用していないにも関わらず、キー操作部がどこかに触れて携帯端末装置が誤操作してしまうのを防止するために、キー操作部の操作を無効にすることができる。あるいは、ユーザが携帯端末装置を紛失したときのセキュリティの確保として、キー操作部の操作を無効（禁止）にすることができる。このため、携帯端末装置は、キー操作部の操作を無効にするキーロック設定処理と、キー操作部の操作を有効にするキーロック解除処理とを実行する。
【０００３】
キーロック設定処理において、第１従来例の携帯端末装置では、利用者（ユーザ）が設定メニュー画面を表示部に表示させて、その設定メニュー画面の欄にパスワードとして複数桁の数字等の文字列を入力し、この文字列を登録文字列として記憶部に登録すると共に、キー操作部の操作を無効にする。キーロック解除処理において、第１従来例の携帯端末装置は、待ち受け画面を表示部に表示しているときに、利用者がキー操作部を操作した場合、文字列の入力を要求する。第１従来例の携帯端末装置は、利用者が文字列を解除時文字列として入力したときに、登録文字列と解除時文字列とが一致した場合に、キー操作部の操作を有効にする。
【０００４】
これにより、第１従来例の携帯端末装置は、登録文字列と解除時文字列とが一致しなかった場合は、キー操作部の操作の無効が継続され、誤操作を防止したり、セキュリティを確保したりすることができる。
【０００５】
しかし、第１従来例の携帯端末装置では、上記の文字列として使用可能な桁数と使用可能な文字（例えば数字）とが限られており、セキュリティとしては低いものである。
【０００６】
この問題を回避するために、第２従来例の携帯端末装置として、タッチパネルを搭載した携帯端末装置が特開２００７−２５７１４０号公報に記載されている。
【０００７】
キーロック設定処理において、第２従来例の携帯端末装置は、タッチパネルにパスワードとして軌跡を手書き入力したときに、その軌跡を表す登録パスワードを生成し、登録パスワードを記憶部に登録すると共に、キー操作部の操作を無効にする。キーロック解除処理において、第２従来例の携帯端末装置は、待ち受け画面を表示部に表示しているときに、利用者がキー操作部を操作した場合、パスワードの入力を要求する。第２従来例の携帯端末装置は、利用者がタッチパネルにパスワードとして軌跡を手書き入力したときに、その軌跡を表す解除時パスワードを生成し、登録パスワードの軌跡と解除時パスワードの軌跡とが一致した場合、キー操作部の操作を有効にする。
【０００８】
これにより、第２従来例の携帯端末装置は、登録パスワードの軌跡と解除時パスワードの軌跡とが一致しなかった場合は、キー操作部の操作の無効が継続され、誤操作を防止したり、セキュリティを確保したりすることができる。
【先行技術文献】
【特許文献】
【０００９】
【特許文献１】特開２００７−２５７１４０号公報
【特許文献２】特開２００５−０１８２２９号公報
【発明の概要】
【発明が解決しようとする課題】
【００１０】
しかし、第２従来例の携帯端末装置では、利用者が携帯端末装置を持ちながら、タッチパネルにパスワードとして軌跡を手書き入力する場合、キーロック設定処理で生成される登録パスワードと、キーロック解除処理で生成される解除時パスワードとで異なる可能性がある。
【００１１】
即ち、第２従来例の携帯端末装置は、利用者が一方の手で携帯端末装置を持ちながら、他方の手でキーロック設定処理、キーロック解除処理を実施している場合、キーロック設定処理で登録パスワードが生成されるときの携帯端末装置の傾きと、キーロック解除処理で解除時パスワードが生成されるときの携帯端末装置の傾きは、全く同じとは限らない。この場合、利用者が同じ軌跡を入力しても、傾きの違いにより、登録パスワードの軌跡と解除時パスワードの軌跡とが一致しない状態が発生し、ユーザの利便性が高いものとは言えない。
【００１２】
本発明の課題は、キーロック設定処理で登録パスワードが生成されるときの携帯端末装置の傾きと、キーロック解除処理で解除時パスワードが生成されるときの携帯端末装置の傾きが異なる場合でも、ユーザの利便性を損なうことなく、誤操作を防止したり、セキュリティを確保したりすることができる携帯端末装置を提供することにある。
【課題を解決するための手段】
【００１３】
本発明の携帯端末装置は、記憶部と、座標領域を有するタッチパネルと、複数のキーを備えたキー操作部と、自己の装置の傾きを検出する検出部と、キーロック設定処理とキーロック解除処理とを実行する制御部とを具備している。制御部は、キーロック設定処理において、利用者がタッチパネルにパスワードとして軌跡を手書き入力したときに、その軌跡と、その軌跡を表す座標領域とを含む登録パスワード座標データを生成し、検出部により検出された傾きを表す登録時傾きデータを生成し、登録パスワード座標データと登録時傾きデータとを記憶部に登録すると共に、キー操作部の操作を無効にする。制御部は、キーロック解除処理において、利用者がタッチパネルにパスワードとして軌跡を手書き入力したときに、その軌跡と、その軌跡を表す座標領域とを含む解除時パスワード座標データを生成し、検出部により検出された傾きを表す解除時傾きデータを生成し、登録時傾きデータが表す傾きに対して、解除時傾きデータが表す傾きの変化を表す傾き変化量を算出し、傾き変化量に従って、解除時パスワード座標データの座標領域を登録パスワード座標データの座標領域に変換し、登録パスワード座標データの軌跡と解除時パスワード座標データの軌跡とが一致した場合、キー操作部の操作を有効にする。
【発明の効果】
【００１４】
本発明の携帯端末装置では、キーロック設定処理で登録パスワード（登録パスワード座標データ）が生成されるときの携帯端末装置の傾きと、キーロック解除処理で解除時パスワード（解除時パスワード座標データ）が生成されるときの携帯端末装置の傾きが異なる場合でも、その傾きの変化量に従って、解除時パスワード座標データの座標領域を登録パスワード座標データの座標領域に変換する。これにより、正しい位置で、登録パスワード座標データの軌跡と解除時パスワード座標データの軌跡とを比較することができる。利用者（この場合、ユーザ）は、タッチパネルにパスワードを入力する際、携帯端末装置の傾きを気にしないで、パスワードとして軌跡を手書き入力するだけである。このため、本発明の携帯端末装置によれば、ユーザの利便性を損なうことがない。
【００１５】
また、本発明の携帯端末装置では、登録パスワード座標データの軌跡と、解除時パスワード座標データの軌跡とが一致した場合に、キー操作部の操作を有効にする。このため、本発明の携帯端末装置によれば、キー操作部がどこかに触れて携帯端末装置が誤操作してしまうのを防止したり、利用者（この場合、ユーザ）が携帯端末装置を紛失したときのセキュリティを確保したりすることができる。
【００１６】
このように、本発明の携帯端末装置によれば、ユーザの利便性を損なうことなく、誤操作を防止したり、セキュリティを確保したりすることができる。
【図面の簡単な説明】
【００１７】
【図１】図１は、本発明の実施形態による携帯端末装置の構成を示すブロック図である。
【図２Ａ】図２Ａは、本発明の実施形態による携帯端末装置の動作として、キーロック設定処理を示すフローチャートである。
【図２Ｂ】図２Ｂは、本発明の実施形態による携帯端末装置の動作として、キーロック解除処理を示すフローチャートである。
【図３Ａ】図３Ａは、本発明の実施形態による携帯端末装置の動作を説明するための図である。
【図３Ｂ】図３Ｂは、本発明の実施形態による携帯端末装置の動作を説明するための図である。
【図３Ｃ】図３Ｃは、本発明の実施形態による携帯端末装置の動作を説明するための図である。
【図３Ｄ】図３Ｄは、本発明の実施形態による携帯端末装置の動作を説明するための図である。
【発明を実施するための形態】
【００１８】
以下に添付図面を参照して、本発明の実施形態による携帯端末装置について詳細に説明する。
【００１９】
［構成］
図１は、本発明の実施形態による携帯端末装置の構成を示すブロック図である。
【００２０】
本発明の実施形態による携帯端末装置は、アンテナ１、無線部２、制御部３、キー操作部４、表示部５、記憶部８を具備している。
【００２１】
本発明の実施形態による携帯端末装置は、無線部２、アンテナ１を介して基地局と通信を行う携帯型のコンピュータであり、制御部３としては、ＣＰＵ（Ｃｅｎｔｒａｌ  Ｐｒｏｃｅｓｓｉｎｇ  Ｕｎｉｔ）が例示され、記憶部８としては、記録媒体であるメモリが例示される。メモリ８には、コンピュータに実行させるためのコンピュータプログラムが記憶されている。制御部３は、起動時などにメモリ８からコンピュータプログラムを読み取って実行する。
【００２２】
キー操作部４は、複数のキーを備えている。制御部３は、利用者（ユーザ）によるキー操作部４の操作に応じたキー操作処理を実行し、その実行結果を表示部５に表示する。
【００２３】
本発明の実施形態による携帯端末装置は、例えば、携帯電話機であり、更に、マイク９、スピーカ１０、音声コーデック部１１を具備している。制御部３は、その制御により、自己の装置（携帯電話機）と相手先の電話機とで通話する通話処理を実行する。
【００２４】
通話処理において、無線部２は、アンテナ１にて相手先の電話機からの信号を受信し、その信号を復調して受信データとして制御部３に出力する。制御部３は、受信データから音声信号を取り出して音声コーデック部１１に出力し、音声コーデック部１１は、音声信号に対してデジタル／アナログ（Ｄ／Ａ）変換を施してアナログ信号を生成し、スピーカ１０は、そのアナログ信号を音声として出力する。
【００２５】
また、通話処理において、音声コーデック部１１は、マイク９により入力された音声に対してアナログ／デジタル（Ａ／Ｄ）変換を施して音声信号を生成し、制御部３は、その音声信号を含む送信データを生成し、無線部２は、送信データを変調してアンテナ１から送信する。
【００２６】
本発明の実施形態による携帯端末装置は、更に、タッチパネル６、検出部７を具備している。
【００２７】
タッチパネル６は、座標領域を有している。タッチパネル６は、表示部５とは別に設けられてもよいし、表示部５として設けられてもよい。
【００２８】
検出部７は、自己の装置（携帯端末装置）の傾きを検出する。例えば、検出部７は、加速度センサである。以下、検出部７を加速度センサ７と称する。加速度センサ７は、３軸の加速度センサが例示され、地球の重力加速度を計測することで、携帯端末装置の傾きを検出する。
【００２９】
制御部３は、更に、キー操作部４の操作を無効にするキーロック設定処理と、キー操作部４の操作を有効にするキーロック解除処理とを実行する。
【００３０】
［動作］
図２Ａ、図２Ｂは、本発明の実施形態による携帯端末装置の動作を示すフローチャートである。具体的には、図２Ａは、キーロック設定処理を示すフローチャートであり、図２Ｂは、キーロック解除処理を示すフローチャートである。
【００３１】
まず、キーロック設定処理について説明する。
【００３２】
キー操作部４の複数のキーのうちの特定キーは、キーロック設定処理を実行するためのキーである。この場合、制御部３は、利用者がキー操作部４の複数のキーのうちの特定キー以外のキーを操作しているとき、引き続き、キー操作処理を実行する（ステップＳ１１−ＮＯ）。
【００３３】
制御部３は、利用者によるキー操作部４の操作に応じて、利用者に対してキーロック設定処理を開始するか否かを選択させるための開始問い合わせ画面を表示部５に表示する開始問い合わせ処理を実行する。この開始問い合わせ処理において、利用者がキーロック設定処理の開始を選択しない場合、制御部３は、引き続き、キー操作処理を実行する（ステップＳ１１−ＮＯ）。
【００３４】
制御部３は、利用者がキー操作部４の上記の特定キーを操作したときにキーロック設定処理を実行する（ステップＳ１１−ＹＥＳ）。又は、開始問い合わせ処理において、利用者がキー操作部４を操作してキーロック設定処理の開始を選択した場合、制御部３は、キーロック設定処理を実行する（ステップＳ１１−ＹＥＳ）。
【００３５】
例えば、利用者は、図３Ａに示されるような状態において、一方の手で携帯端末装置を持ちながら、タッチパネル６にパスワードとして軌跡“２”を他方の手で手書き入力する。このときに、制御部３は、タッチパネル６から上記の軌跡“２”を読み取り／入力し（ステップＳ１２）、登録パスワード座標データＬを生成する（ステップＳ１３）。図３Ａに示されるように、登録パスワード座標データＬは、そのときの軌跡“２”と、その軌跡“２”を表す座標領域“Ｂ１→Ｂ２→Ｂ３→Ｃ２→Ｄ１→Ｄ２→Ｄ３”とを含んでいる。
【００３６】
同時に、図３Ａに示されるように、制御部３は、加速度センサ７により検出された傾きを読み取り／入力し、その傾きを表す登録時傾きデータ“Ｘ０、Ｙ０、Ｚ０”を生成する（ステップＳ１４）。ここで、加速度センサ７により検出された傾きが“０、−１、０”である場合、登録時傾きデータ“Ｘ０、Ｙ０、Ｚ０”は“０、−１、０”を表している。
【００３７】
制御部３は、登録パスワード座標データＬと登録時傾きデータ“Ｘ０、Ｙ０、Ｚ０”とをメモリ８に登録すると共に、キー操作部４の操作を無効にする（ステップＳ１５）。
【００３８】
次に、キーロック解除処理について説明する。
【００３９】
制御部３は、待ち受け画面を表示部５に表示しているときに、利用者がキー操作部４を操作した場合、パスワードの入力を要求するためのパスワード要求画面を表示部５に表示する（ステップＳ２１−ＮＯ）。
【００４０】
例えば、利用者は、図３Ｂに示されるような状態（図３Ａに示される状態に対して＋９０度傾けた状態）において、一方の手で携帯端末装置を持ちながら、タッチパネル６にパスワードとして軌跡“２”を他方の手で手書き入力する（ステップＳ２１−ＹＥＳ）。このときに、制御部３は、タッチパネル６から上記の軌跡“２”を読み取り／入力し（ステップＳ２２）、解除時パスワード座標データＭを生成する（ステップＳ２３）。図３Ｂに示されるように、解除時パスワード座標データＭは、そのときの軌跡“２”と、その軌跡“２”を表す座標領域“Ｄ１→Ｃ１→Ｂ１→Ｃ２→Ｄ３→Ｃ３→Ｂ３”とを含んでいる。
【００４１】
同時に、図３Ｂに示されるように、制御部３は、加速度センサ７により検出された傾きを読み取り／入力し、その傾きを表す解除時傾きデータ“Ｘ１、Ｙ１、Ｚ１”を生成する（ステップＳ２４）。ここで、加速度センサ７により検出された傾きが“１、０、０”である場合、解除時傾きデータ“Ｘ１、Ｙ１、Ｚ１”は“１、０、０”を表している。
【００４２】
制御部３は、登録時傾きデータ“Ｘ０、Ｙ０、Ｚ０”が表す傾き“０、−１、０”に対して、解除時傾きデータ“Ｘ１、Ｙ１、Ｚ１”が表す傾き“１、０、０”の変化“＋９０度”を表す傾き変化量ΔＸＹＺを算出する（ステップＳ２５）。ここで、傾き“０、−１、０”に対する傾き“１、０、０”の変化量ΔＸＹＺ“＋９０度”を算出する方法は公知なので、その詳細な説明は省略する。
【００４３】
制御部３は、傾き変化量ΔＸＹＺ“＋９０度”に従って、解除時パスワード座標データＭの座標領域“Ｄ１→Ｃ１→Ｂ１→Ｃ２→Ｄ３→Ｃ３→Ｂ３”を登録パスワード座標データＬの座標領域“Ｂ１→Ｂ２→Ｂ３→Ｃ２→Ｄ１→Ｄ２→Ｄ３”に変換する（ステップＳ２６）。即ち、制御部３は、解除時パスワード座標データＭの座標領域が登録パスワード座標データＬの座標領域に対して傾き変化量ΔＸＹＺ“＋９０度”だけずれているため、解除時パスワード座標データＭの座標領域を、座標領域“Ｃ２”を中心に−９０度だけ回転させて、登録パスワード座標データＬの座標領域に合わせる。
【００４４】
制御部３は、登録パスワード座標データＬの軌跡“２”と解除時パスワード座標データＭの軌跡“２”とを比較する（ステップＳ２７）。
【００４５】
ここで、登録パスワード座標データＬの軌跡“２”と解除時パスワード座標データＭの軌跡“２”とが一致した場合（ステップＳ２７−ＹＥＳ）、制御部３は、キー操作部４の操作を有効にする（ステップＳ２８）。
【００４６】
一方、登録パスワード座標データＬの軌跡“２”と解除時パスワード座標データＭの軌跡“２”とが一致しない場合（ステップＳ２７−Ｎｏ）、制御部３は、パスワードが一致していない旨を表すエラー情報を表示部５に表示して、利用者に通知する（ステップＳ２９）。
【００４７】
ステップＳ２９において、制御部３は、エラー情報を利用者に通知したときに、タッチパネル６にパスワードを再度入力するか否かを選択させるための再入力問い合わせ処理を実行する。この再入力問い合わせ処理において、利用者がタッチパネル６にパスワードとして軌跡“２”を手書き入力した場合、制御部３は、キーロック解除処理を実行する。
【００４８】
同様に、利用者は、図３Ｃに示されるような状態（図３Ａに示される状態に対して＋２７０度傾けた状態）において、一方の手で携帯端末装置を持ちながら、タッチパネル６にパスワードとして軌跡“２”を他方の手で手書き入力した場合（ステップＳ２１−ＹＥＳ）、制御部３は、上述のステップＳ２２〜Ｓ２９を実行する。この場合、解除時パスワード座標データＭは、軌跡“２”と、その軌跡“２”を表す座標領域“Ｂ３→Ｃ３→Ｄ３→Ｃ２→Ｂ１→Ｃ１→Ｄ１”とを含み、解除時傾きデータ“Ｘ１、Ｙ１、Ｚ１”は“−１、０、０”を表し、変化量ΔＸＹＺは“＋２７０度”である。
【００４９】
また、同様に、利用者は、図３Ｄに示されるような状態（図３Ａに示される状態に対して＋１８０度傾けた状態）において、一方の手で携帯端末装置を持ちながら、タッチパネル６にパスワードとして軌跡“２”を他方の手で手書き入力した場合（ステップＳ２１−ＹＥＳ）、制御部３は、上述のステップＳ２２〜Ｓ２９を実行する。この場合、解除時パスワード座標データＭは、軌跡“２”と、その軌跡“２”を表す座標領域“Ｄ３→Ｄ２→Ｄ１→Ｃ２→Ｂ３→Ｂ２→Ｂ１”とを含み、解除時傾きデータ“Ｘ１、Ｙ１、Ｚ１”は“０、１、０”を表し、変化量ΔＸＹＺは“＋１８０度”である。
【００５０】
［効果］
前述したように、特開２００７−２５７１４０号公報に記載された技術（第２従来例の携帯端末装置）は、利用者が一方の手で携帯端末装置を持ちながら、他方の手でキーロック設定処理、キーロック解除処理を実施している場合、キーロック設定処理で登録パスワードが生成されるときの携帯端末装置の傾きと、キーロック解除処理で解除時パスワードが生成されるときの携帯端末装置の傾きは、全く同じとは限らない。この場合、利用者が同じ軌跡を入力しても、傾きの違いにより、登録パスワードの軌跡と解除時パスワードの軌跡とが一致しない状態が発生し、ユーザの利便性が高いものとは言えない。
【００５１】
一方、本発明の実施形態による携帯端末装置では、キーロック設定処理で登録パスワード（登録パスワード座標データＬ）が生成されるときの携帯端末装置の傾きと、キーロック解除処理で解除時パスワード（解除時パスワード座標データＭ）が生成されるときの携帯端末装置の傾きが異なる場合でも、その傾きの変化量ΔＸＹＺに従って、解除時パスワード座標データＭの座標領域を登録パスワード座標データＬの座標領域に変換する。これにより、正しい位置で、登録パスワード座標データＬの軌跡と解除時パスワード座標データＭの軌跡とを比較することができる。利用者（この場合、ユーザ）は、タッチパネル６にパスワードを入力する際、携帯端末装置の傾きを気にしないで、パスワードとして軌跡を手書き入力するだけである。このため、本発明の実施形態による携帯端末装置によれば、ユーザの利便性を損なうことがない。
【００５２】
また、本発明の実施形態による携帯端末装置では、登録パスワード座標データＬの軌跡と、解除時パスワード座標データＭの軌跡とが一致した場合に、キー操作部４の操作を有効にする。このため、本発明の実施形態による携帯端末装置によれば、キー操作部４がどこかに触れて携帯端末装置が誤操作してしまうのを防止したり、利用者（この場合、ユーザ）が携帯端末装置を紛失したときのセキュリティを確保したりすることができる。
【００５３】
このように、本発明の実施形態による携帯端末装置によれば、ユーザの利便性を損なうことなく、誤操作を防止したり、セキュリティを確保したりすることができる。
【００５４】
［補足］
特開２００５−０１８２２９号公報には、３軸の加速度センサを備えた端末が記載されている。３軸の加速度センサは、地球の重力加速度を計測することで、端末の傾きを検出し、端末は、その傾きにより表示を切り換えている。特開２００５−０１８２２９号公報に記載された技術は、例えば、第１の傾きにおいて、第１の位置で表示データを表示部に表示し、第２の傾きにおいて、第２の位置で上記の表示データを表示部に表示しているため、同じデータを座標変換している。このため、第１のデータの座標に合わせて、第２のデータの座標を変換するものではない。従って、特開２００７−２５７１４０号公報に記載された技術（第２従来例の携帯端末装置）に、特開２００５−０１８２２９号公報に記載された技術を適用しても、本発明の効果を実現できない。
【００５５】
上記の実施形態の一部又は全部は、以下の付記のようにも記載されうるが、以下には限られない。
【００５６】
（付記１）
記憶部と、
座標領域を有するタッチパネルと、
複数のキーを備えたキー操作部と、
自己の装置の傾きを検出する検出部と、
キーロック設定処理とキーロック解除処理とを実行する制御部とを具備し、
前記制御部は、
前記キーロック設定処理において、
利用者が前記タッチパネルにパスワードとして軌跡を手書き入力したときに、その軌跡と、その軌跡を表す座標領域とを含む登録パスワード座標データを生成し、
前記検出部により検出された傾きを表す登録時傾きデータを生成し、
前記登録パスワード座標データと前記登録時傾きデータとを前記記憶部に登録すると共に、前記キー操作部の操作を無効にし、
前記キーロック解除処理において、
利用者が前記タッチパネルに前記パスワードとして軌跡を手書き入力したときに、その軌跡と、その軌跡を表す座標領域とを含む解除時パスワード座標データを生成し、
前記検出部により検出された傾きを表す解除時傾きデータを生成し、
前記登録時傾きデータが表す傾きに対して、前記解除時傾きデータが表す傾きの変化を表す傾き変化量を算出し、
前記傾き変化量に従って、前記解除時パスワード座標データの座標領域を前記登録パスワード座標データの座標領域に変換し、
前記登録パスワード座標データの軌跡と前記解除時パスワード座標データの軌跡とが一致した場合、前記キー操作部の操作を有効にする
携帯端末装置。
【００５７】
（付記２）
前記制御部は、前記キーロック解除処理において、
前記登録パスワード座標データの軌跡と前記解除時パスワード座標データの軌跡とが一致しない場合、前記パスワードが一致していない旨を表すエラー情報を利用者に通知する
付記１に記載の携帯端末装置。
【００５８】
（付記３）
前記制御部は、
前記エラー情報を利用者に通知したときに、前記タッチパネルに前記パスワードを再度入力するか否かを選択させるための再入力問い合わせ処理を実行し、
前記再入力問い合わせ処理において、利用者が前記タッチパネルに前記パスワードとして軌跡を手書き入力した場合、前記キーロック解除処理を実行する
付記２に記載の携帯端末装置。
【００５９】
（付記４）
前記制御部は、
利用者が前記キー操作部の前記複数のキーのうちの特定キーを操作したときに前記キーロック設定処理を実行する
付記１〜３のいずれかに記載の携帯端末装置。
【００６０】
（付記５）
前記制御部は、
利用者による前記キー操作部の操作に応じて、利用者に対して前記キーロック設定処理を開始するか否かを選択させるための開始問い合わせ処理を実行し、
前記開始問い合わせ処理において、利用者が前記キー操作部を操作して前記キーロック設定処理の開始を選択した場合、前記キーロック設定処理を実行する
付記１〜３のいずれかに記載の携帯端末装置。
【００６１】
（付記６）
前記検出部は、加速度センサである
付記１〜５のいずれかに記載の携帯端末装置。
【００６２】
（付記７）
記憶部と、座標領域を有するタッチパネルと、複数のキーを備えたキー操作部と、自己の装置の傾きを検出する検出部とを備えた携帯端末装置がキーロック設定処理とキーロック解除処理とを実行する方法であって、
前記キーロック設定処理において、
利用者が前記タッチパネルにパスワードとして軌跡を手書き入力したときに、その軌跡と、その軌跡を表す座標領域とを含む登録パスワード座標データを生成するステップと、
前記検出部により検出された傾きを表す登録時傾きデータを生成するステップと、
前記登録パスワード座標データと前記登録時傾きデータとを前記記憶部に登録すると共に、前記キー操作部の操作を無効にするステップと、
前記キーロック解除処理において、
利用者が前記タッチパネルに前記パスワードとして軌跡を手書き入力したときに、その軌跡と、その軌跡を表す座標領域とを含む解除時パスワード座標データを生成するステップと、
前記検出部により検出された傾きを表す解除時傾きデータを生成するステップと、
前記登録時傾きデータが表す傾きに対して、前記解除時傾きデータが表す傾きの変化を表す傾き変化量を算出するステップと、
前記傾き変化量に従って、前記解除時パスワード座標データの座標領域を前記登録パスワード座標データの座標領域に変換するステップと、
前記登録パスワード座標データの軌跡と前記解除時パスワード座標データの軌跡とが一致した場合、前記キー操作部の操作を有効にするステップと
を具備する携帯端末装置のキーロック設定・解除方法。
【００６３】
（付記８）
前記キーロック解除処理において、
前記登録パスワード座標データの軌跡と前記解除時パスワード座標データの軌跡とが一致しない場合、前記パスワードが一致していない旨を表すエラー情報を利用者に通知するステップ
を更に具備する付記７に記載の携帯端末装置のキーロック設定・解除方法。
【００６４】
（付記９）
前記エラー情報を利用者に通知したときに、前記タッチパネルに前記パスワードを再度入力するか否かを選択させるための再入力問い合わせ処理を実行するステップと、
前記再入力問い合わせ処理において、利用者が前記タッチパネルに前記パスワードとして軌跡を手書き入力した場合、前記キーロック解除処理を実行するステップと
を更に具備する付記８に記載の携帯端末装置のキーロック設定・解除方法。
【００６５】
（付記１０）
利用者が前記キー操作部の前記複数のキーのうちの特定キーを操作したときに前記キーロック設定処理を実行するステップ
を更に具備する付記７〜９のいずれかに記載の携帯端末装置のキーロック設定・解除方法。
【００６６】
（付記１１）
利用者による前記キー操作部の操作に応じて、利用者に対して前記キーロック設定処理を開始するか否かを選択させるための開始問い合わせ処理を実行するステップと、
前記開始問い合わせ処理において、利用者が前記キー操作部を操作して前記キーロック設定処理の開始を選択した場合、前記キーロック設定処理を実行するステップと
を更に具備する付記７〜９のいずれかに記載の携帯端末装置のキーロック設定・解除方法。
【００６７】
（付記１２）
付記７〜１１のいずれかに記載の携帯端末装置のキーロック設定・解除方法の各ステップをコンピュータに実行させるコンピュータプログラム。
【符号の説明】
【００６８】
１    アンテナ、
２    無線部、
３    制御部、
４    キー操作部、
５    表示部
６    タッチパネル、
７    加速度センサ（検出部）、
８    メモリ（記憶部）、
９    マイク、
１０    スピーカ、
１１    音声コーデック部
【図１】
0005483008.tif 000002
【図２Ａ】
0005483008.tif 000003
【図２Ｂ】
0005483008.tif 000004
【図３Ａ】
0005483008.tif 000005
【図３Ｂ】
0005483008.tif 000006
【図３Ｃ】
0005483008.tif 000007
【図３Ｄ】
0005483008.tif 000008